(57)【要約】      （修正有）【課題】金庫内に収納されている書類等に黴が発生するのを簡易に防ぐことができる金庫管理装置を提供するものである。【解決手段】金庫管理装置は、金庫２を設置すると共に、少なくとも、温度調節された室３と、金庫２は、内部に収納部２１と、この収納部２１を開閉する扉２２と、収納部２１と室３に連通すると共に、上方に位置する上方室内連通路７と、収納部２１と室３に連通すると共に、上方室内連通路７より下方に位置する下方室内連通路８とを有し、上方室内連通路７の室３に臨む室内上方開口部７ａは下方室内連通路８の室３に臨む室内下方開口部８ａより上に位置し、上方室内連通路７の収納部２１に臨む収納部上方開口部７ｂは下方室内連通路８の収納部２１に臨む収納部下方開口部８ｂより上に位置しているものである。【選択図】図３
2008274606.tif 000002
【特許請求の範囲】
【請求項１】
金庫を設置すると共に、少なくとも、温度調節された室と、
前記金庫は、内部に収納部と、この収納部を開閉する扉と、前記収納部と前記室に連通すると共に、上方に位置する上方室内連通路と、前記収納部と前記室に連通すると共に、前記上方室内連通路より下方に位置する下方室内連通路とを有し、
前記上方室内連通路の前記室に臨む室内上方開口部は前記下方室内連通路の前記室に臨む室内下方開口部より上に位置し、
前記上方室内連通路の前記収納部に臨む収納部上方開口部は前記下方室内連通路の前記収納部に臨む収納部下方開口部より上に位置している
ことを特徴とする金庫管理装置。
【請求項２】
上方室内連通路及び下方室内連通路を扉に形成する
ことを特徴とする請求項１記載の金庫管理装置。
【請求項３】
金庫は、壁面に設けられた凹所に台を介して設置され、
上方室内連通路の室に臨む室内上方開口部は金庫の扉の上に位置する前記壁面の部位に、
前記下方室内連通路の前記室に臨む室内下方開口部は、前記金庫の扉の下に位置する前記台の部位に、
上方室内連通路の前記金庫の収納部に臨む収納部上方開口部は前記金庫の天井部に、
下方室内連通路の前記金庫の収納部に臨む収納部下方開口部は前記金庫の底部に、
それぞれ形成されていることを特徴とする請求項１記載の金庫管理装置。
【請求項４】
扉は、室に臨む第１の扉体と、この第１の扉体の裏面に取り付けられ、収納部に臨む第２の扉体とを有し、
前記第１の扉体は、内部を空間又は構造部材又は断熱材を厚み１．６ｍｍ未満の鋼板で覆う第１の覆い部材を有し、
前記第２の扉体は、断熱材を内在すると共に、該断熱材を厚み１．６ｍｍ未満の鋼板で覆う第２の覆い部材を有し、
前記第１の扉体と前記第２の扉体とは、雄ネジにより前記第２の扉体を貫通すると共に、前記第２の覆い部材の鋼板及び前記第１の覆い部材の鋼板に接合されている
ことを特徴とする請求項１記載の金庫管理装置。
【請求項５】
扉は、室に臨む第１の扉体と、この第１の扉体の裏面に取り付けられ、収納部に臨む第２の扉体とを有し、
前記第１の扉体は、内部を空間又は構造部材又は断熱材を厚み１．６ｍｍ未満の鋼板で覆う第１の覆い部材を有し、
前記第２の扉体は、平板状部材の両端を立ち上がらせると共に、立ち上がらせた前記両端を互いに近づくように折り返された第１、第２の折り返し部材と、前記第１の折り返し部材と前記第２の折り返し部材とを結ぶ線と前記平板状部材とで囲まれる空間に設けられた断熱材とを有し、
前記第１の扉体と前記第２の扉体とは、第１の雄ネジにより前記第２の扉体を貫通すると共に、前記第１の折り返し部材の鋼板及び前記第１の覆い部材の鋼板に接合され、
前記第１の扉体と前記第２の扉体とは、第２の雄ネジにより前記第２の扉体を貫通すると共に、前記第２の折り返し部材の鋼板及び前記第１の覆い部材の鋼板に接合されている
ことを特徴とする請求項１記載の金庫管理装置。
【発明の詳細な説明】
【技術分野】
【０００１】
本発明は、金庫管理装置に係り、特に、金庫内に収納されている書類等に黴が発生するのを簡易に防ぐことができる金庫管理装置に関する。
【０００２】
従来、古文書 、絵画、典籍等の図書類を黴から守るものとして、例えば、図書類をガスバリア性樹脂フィルムで形成した樹脂袋内に収容し、この樹脂袋内に不活性ガスを封入して密封することにより樹脂袋内の図書類を低酸素雰囲気で保存するようにした図書 類の保存方法がある（例えば、特許文献１参照）。
【特許文献１】特開２００２−１５４５８３号公報
【発明の開示】
【発明が解決しようとする課題】
【０００３】
この図書類の保存方法を金庫に保管する書類に適用した場合、金庫に保管する書類を一々ガスバリア性樹脂フィルムで形成した樹脂袋内に収容し、この樹脂袋内に不活性ガスを封入して密封しなければならず、その作業が非常に面倒であるという問題点があった。
【０００４】
本発明は、上記の問題点を除去するようにした金庫管理装置を提供することを目的とする。
【課題を解決するための手段】
【０００５】
本発明の金庫管理装置は、金庫を設置すると共に、少なくとも、温度調節された室と、前記金庫は、内部に収納部と、この収納部を開閉する扉と、前記収納部と前記室に連通すると共に、上方に位置する上方室内連通路と、前記収納部と前記室に連通すると共に、前記上方室内連通路より下方に位置する下方室内連通路とを有し、前記上方室内連通路の前記室に臨む室内上方開口部は前記下方室内連通路の前記室に臨む室内下方開口部より上に位置し、前記上方室内連通路の前記収納部に臨む収納部上方開口部は前記下方室内連通路の前記収納部に臨む収納部下方開口部より上に位置しているものである。
【０００６】
また、請求項２記載の金庫管理装置は、請求項１記載の金庫管理装置において、上方室内連通路及び下方室内連通路を扉に形成するものである。
【０００７】
また、請求項３記載の金庫管理装置は、請求項１記載の金庫管理装置において、金庫は、壁面に設けられた凹所に台を介して設置され、上方室内連通路の室に臨む室内上方開口部は金庫の扉の上に位置する前記壁面の部位に、前記下方室内連通路の前記室に臨む室内下方開口部は、前記金庫の扉の下に位置する前記台の部位に、上方室内連通路の前記金庫の収納部に臨む収納部上方開口部は前記金庫の天井部に、下方室内連通路の前記金庫の収納部に臨む収納部下方開口部は前記金庫の底部に、それぞれ形成されているものである。
【０００８】
また、請求項４記載の金庫管理装置は、請求項１記載の金庫管理装置において、扉は、室に臨む第１の扉体と、この第１の扉体の裏面に取り付けられ、収納部に臨む第２の扉体とを有し、前記第１の扉体は、構造部材を内在すると共に、該構造部材を厚み１．６ｍｍ未満の鋼板で覆う第１の覆い部材を有し、前記第２の扉体は、断熱材を内在すると共に、該断熱材を厚み１．６ｍｍ未満の鋼板で覆う第２の覆い部材を有し、前記第１の扉体と前記第２の扉体とは、前記第２の扉体を貫通すると共に、前記第２の覆い部材の鋼板及び前記第１の覆い部材の鋼板にそれぞれ形成された雌ネジに螺合する雄ネジにより接合されているものである。
【０００９】
また、請求項５記載の金庫管理装置は、請求項１記載の金庫管理装置において、扉は、室に臨む第１の扉体と、この第１の扉体の裏面に取り付けられ、収納部に臨む第２の扉体とを有し、前記第１の扉体は、構造部材を内在すると共に、該構造部材を厚み１．６ｍｍ未満の鋼板で覆う第１の覆い部材を有し、前記第２の扉体は、平板状部材の両端を立ち上がらせると共に、立ち上がらせた前記両端を互いに近づくように折り返された第１、第２の折り返し部材と、前記第１の折り返し部材と前記第２の折り返し部材とを結ぶ線と前記平板状部材とで囲まれる空間に充填された断熱材とを有し、前記第１の扉体と前記第２の扉体とは、第１の雄ネジにより前記第２の扉体を貫通すると共に、第１の折り返し部材の鋼板及び前記第１の覆い部材の鋼板に接合され、
前記第１の扉体と前記第２の扉体とは、第２の雄ネジにより前記第２の扉体を貫通すると共に、第２の折り返し部材の鋼板及び前記第１の覆い部材の鋼板に接合されている
前記第１の扉体と前記第２の扉体とは、前記第２の扉体を貫通すると共に、前記第１の折り返し部材の鋼板及び前記第１の覆い部材の鋼板にそれぞれ形成された雌ネジに螺合する第１の雄ネジにより、前記第１の扉体と前記第２の扉体とは、前記第２の扉体を貫通すると共に、前記第２の折り返し部材の鋼板及び前記第１の覆い部材の鋼板にそれぞれ形成された雌ネジに螺合する第２の雄ネジにより、それぞれ接合されているものである。
【発明の効果】
【００１０】
請求項１記載の金庫管理装置によれば、金庫の収納部と金庫が設置される室に連通すると共に、上方に位置する上方室内連通路と、金庫の収納部と金庫が設置される室に連通すると共に、前記上方室内連通路より下方に位置する下方室内連通路とを有するため、金庫が設置されている室内の温度調節された室の内の空気が、金庫内の収納部へ流入して、金庫内の空気が流動すると共に、湿気の溜まりを防止して、金庫内に収納されている書類等に黴が発生するのを簡易に防ぐことができる。
【００１１】
また、請求項２記載の金庫管理装置によれば、前述した請求項１記載の発明の効果に加え、上方室内連通路及び下方室内連通路を扉に形成するため、設置現場で上方室内連通路及び下方室内連通路を形成しない分、施工を簡易にすることができる。
【００１２】
また、請求項３記載の金庫管理装置によれば、前述した請求項１記載の発明の効果に加え、庫は、壁面に設けられた凹所に台を介して設置され、上方室内連通路の室に臨む室内上方開口部は金庫の扉の上に位置する前記壁面の部位に、前記下方室内連通路の前記室に臨む室内下方開口部は、前記金庫の扉の下に位置する前記台の部位に、上方室内連通路の前記金庫の収納部に臨む収納部上方開口部は前記金庫の天井部に、下方室内連通路の前記金庫の収納部に臨む収納部下方開口部は前記金庫の底部に、それぞれ形成されているため、金庫の扉に開口部を設けなくても、自然対流を確保できると共に、金庫の扉に開口部を設けない分、金庫の美感を損なうこともない。
【００１３】
また、請求項４記載の金庫管理装置によれば、前述した請求項１記載の発明の効果に加え、第１の扉体の裏面に断熱材を内在した第２の扉体を取り付けるため、耐火構造を得ることができ、つまり、室と金庫の収納部とは、室から金庫の収納部へ向かって、第１の覆い部材の鋼板（室に面する鋼板と金庫の収納部に面する鋼板の２層）、第２の覆い部材の鋼板（室に面する鋼板と金庫の収納部に面する鋼板の２層）となり、しかも、第２の覆い部材の鋼板の間には断熱材が内在するため、より高い耐火構造が得られ、更に、溶接が困難な「厚み１．６ｍｍ未満の鋼板」にあつても、第１の扉体と第２の扉体とは、雄ネジにより前記第２の扉体を貫通すると共に、第２の覆い部材の鋼板及び第１の覆い部材の鋼板に接合して、溶接によらなくても、耐火構造を簡易に得ることができる。
【００１４】
また、請求項５記載の金庫管理装置によれば、前述した請求項１記載の発明の効果に加え、第１の扉体の裏面に断熱材を内在した第２の扉体を取り付けるため、耐火構造を得ることができ、つまり、室と金庫の収納部とは、室から金庫の収納部へ向かって、第１の覆い部材の鋼板（室に面する鋼板の１層）、第２の覆い部材の鋼板（室に面する鋼板と金庫の収納部に面する鋼板の２層）となり、しかも、第２の覆い部材の鋼板の間には断熱材が内在するため、より高い耐火構造が得られ、更に、溶接が困難な「厚み１．６ｍｍ未満の鋼板」にあつても、前記第１の扉体と前記第２の扉体とは、第１の雄ネジにより前記第２の扉体を貫通すると共に、第１の折り返し部材の鋼板及び前記第１の覆い部材の鋼板に接合され、前記第１の扉体と前記第２の扉体とは、第２の雄ネジにより前記第２の扉体を貫通すると共に、第２の折り返し部材の鋼板及び前記第１の覆い部材の鋼板に接合して、溶接によらなくても、耐火構造を簡易に得ることができる。
【発明を実施するための最良の形態】
【００１５】
本発明の金庫管理装置の一実施例を図面を参照して説明する。
（実施例１）
図１乃至図８において、１は金庫管理装置で、金庫管理装置１は、例えば、室３に設置した金庫２を管理するものである。
なお、本実施例においては、金庫２は複数設けられているが、本願発明にあっては、これに限らず、金庫２は単数であっても良い。
また、室３は周囲を壁４により囲まれ、５は室３内への出入りのためのドアで、６はドア５の取っ手である。
【００１６】
金庫２は、図２及び図３に示すように、内部に図示しない貴重品、書類等を収納する収納部２１と、この収納部２１を開閉する扉２２とを有している。２２ａは、扉２２の取っ手である。
また、７は、収納部２１と金庫２を設置した室３に連通すると共に、上方に位置する上方室内連通路で、上方室内連通路７は、本実施例では、複数（例えば、３個）設けられている。
また、８は、収納部２１と金庫２を設置した室３に連通すると共に、上方室内連通路７より下方に位置する下方室内連通路で、下方室内連通路８は、本実施例では、複数（例えば、３個）設けられている。
そして、上方室内連通路７の室３に臨む室内上方開口部７ａは下方室内連通路８の室３に臨む室内下方開口部８ａより上に位置し、上方室内連通路７の収納部２１に臨む収納部上方開口部７ｂは下方室内連通路８の収納部２１に臨む収納部下方開口部８ｂより上に位置している。
【００１７】
また、室３は、図示しない空気調和機により温度調節、湿度調節、空気清浄されている。温度は、例えば、約２５℃であり、湿度は、例えば、約４５%〜約６０%であり、この温度及び湿度の値は、適宜調整可能であり、本願発明にあっては、少なくとも、温度調節されていれば良い。これは、温度が低ければ、湿気も除去されるからである。
【００１８】
従って、上述した金庫管理装置１によれば、金庫２の収納部２１と金庫２が設置される室４に連通すると共に、上方に位置する上方室内連通路７と、金庫２の収納部２１と金庫２が設置される室３に連通すると共に、上方室内連通路７より下方に位置する下方室内連通路８とを有するため、金庫２が設置されている室３内の温度調節された室３の空気が、自然対流を生じ、上方室内連通路７を介して金庫２内の収納部２１へ流入して、下方室内連通路８を介して金庫２の外である室３内に戻ることとなる。
その際、金庫２内の空気が流動し、湿気の溜まりを防止して、金庫２内に収納されている図示しない書類等に黴が発生するのを簡易に防ぐことができる。
【００１９】
なお、扉２２は、図５に示すように、室３に臨む第１の扉体２２Ａと、この第１の扉体２２Ａの裏面に取り付けられ、収納部２１に臨む第２の扉体２２Ｂとを有している。第１の扉体２２Ａは、構造部材（例えば、紙またはプラスチックをハニカム構造で形成したもの）２２Ａ１を内在すると共に、該構造部材２２Ａ１を厚み１．６ｍｍ未満（例えば、０．６ｍｍ〜０．８ｍｍ）の鋼板で覆う第１の覆い部材２２Ａ２を有している。
なお、第１の覆い部材２２Ａ２は、構造部材（例えば、紙またはプラスチックをハニカム構造で形成したもの）２２Ａ１を内在したが、本願発明にあっては、これに限らず、断熱材（例えば、気泡コンクリート材またはグラウト材）を内在しても、又は、何も内在せず第１の覆い部材２２Ａ２の内部を空間としても良い。
また、第２の扉体２２Ｂは、断熱材（例えば、気泡コンクリート材またはグラウト材）２２Ｂ１を内在すると共に、該断熱材２２Ｂ１を厚み１．６ｍｍ未満（例えば、０．６ｍｍ〜０．８ｍｍ）の鋼板で覆う第２の覆い部材２２Ｂ２を有している。
第１の扉体２２Ａと第２の扉体２２Ｂとは、雄ネジＡ（例えば、タッピングねじ等）により第２の扉体２２Ｂを貫通すると共に、第２の覆い部材２２Ｂ２の鋼板及び第１の覆い部材２２Ａ２の鋼板に接合されている。
このように、薄い鋼板であっても、第２の覆い部材２２Ｂ２の鋼板と第１の覆い部材２２Ａ２の鋼板を重ねることにより、ビス止めで強度をある程度保つようにすることができる。
また、図５に示すように、断熱材（例えば、気泡コンクリート部材またはグラウト部材）２２Ｂ１の第１の扉体２２Ａに面する側には、凹溝Ｃが第２の扉体２２Ｂの上下の端部に向かって設けられている。なお、凹溝Ｃは、断熱効果の点から設けられることが望ましいが、場合により省略することもできる。
【００２０】
また、下方室内連通路８は、図３においては、扉２２の表面と裏面を貫くように形成したが、本願発明はこれに限らず、例えば、図６及び図７に示すように、下方室内連通路８’を扉２２の左端部２２ｂ、右端部２２ｃにそれぞれ設けるようにしても良い。下方室内連通路８’は、収納部２１と金庫２を設置した室３に連通すると共に、上方室内連通路７’より下方に位置する下方室内連通路で、下方室内連通路８’は、本実施例では、複数（例えば、６個）設けられている（図２、図６及び図７参照）。８’ａは、室３に臨む室内下方開口部で、８’ｂは、収納部２１に臨む収納部下方開口部であり、また、上方室内連通路７’の室３に臨む一端は室内上方開口部（図示せず）であり、上方室内連通路７’の収納部２１に臨む他端は収納部上方開口部（図示せず）である。
なお、扉２２に設けた上方室内連通路７及び下方室内連通路８を使用しない場合には、例えば、図８に示すように、下方室内連通路８を蓋Ｆにより塞ぐようにする。上方室内連通路７も下方室内連通路８と同様に、蓋Ｆにより塞ぐようにしても良い。
更に、上方室内連通路７及び下方室内連通路８は、扉２２を貫通するように設けられるものに限らず、扉２２のシール性を向上させるために枠側の垂直方向に設けたシール部材Ｓ（図５〜図７）の上方側の一部を欠損させて上方室内連通路（図示せず）を、この上方室内連通路（図示せず）より下方側のシール部材Ｓ（図５〜図７）の部位を欠損させて下方室内連通路（図示せず）を設けるようにしても良い。
【００２１】
（実施例２）
上述した実施例１においては、上方室内連通路７、７’及び下方室内連通路８，８’を扉２２に形成して、施工を簡易にすることができたが、本願発明にあってはこれに限らず、例えば、図９〜図１１に示すように、図示しない空気調和機により温度調節、湿度調節、空気清浄されている室３に設置した金庫２（図１参照）は、壁Ｋ（図１０参照）面に設けられた凹所Ｏに台１０を介して設置されている。
収納部２１と室３に連通すると共に、上方に位置する上方室内連通路７”の室３に臨む室内上方開口部７”ａは、金庫２の扉２２の上に位置する壁Ｋ（図１０参照）面の部位に設けられている。
また、収納部２１と金庫２を設置した室３に連通すると共に、上方室内連通路７”より下方に位置する下方室内連通路８”の室３に臨む室内下方開口部８”ａは、金庫２の扉２２の下に位置する台１０の部位に設けられている。
そして、上方室内連通路７”の金庫２の収納部２１に臨む収納部上方開口部７”ｂは金庫２の天井部に、また、下方室内連通路８”の金庫２の収納部２１に臨む収納部下方開口部８”ｂは金庫２の底部に、それぞれ形成しても良い。
【００２２】
この実施例の金庫管理装置２においても、前述した実施例１と同様に、金庫２の収納部２１と金庫２が設置される室４の内に連通すると共に、上方に位置する上方室内連通路７”と、金庫２の収納部２１と金庫２が設置される室３の内に連通すると共に、上方室内連通路７”より下方に位置する下方室内連通路８”とを有するため、金庫２が設置されている室３内の温度調節された室３の内の空気が、自然対流を生じ、上方室内連通路７”を介して金庫２内の収納部２１へ流入して、下方室内連通路８”を介して金庫２の外である室３内に戻ることとなる。
その際、金庫２内の空気が流動し、湿気の溜まりを防止して、金庫２内に収納されている図示しない書類等に黴が発生するのを簡易に防ぐことができ、しかも、金庫２の扉２２に開口部を設けなくても、自然対流を確保できると共に、金庫２の扉２２に開口部を設けない分、金庫２の美感を損なうこともない。
【００２３】
また、上方室内連通路７”の室３に臨む室内上方開口部７”ａは、金庫２の扉２２の上に位置する壁Ｋ（図１０参照）面の部位に設けたが、本願発明はこれに限らず、上方室内連通路７”の室３に臨む室内上方開口部７”ａを金庫２の扉２２の下方であって該扉２２の横に位置する壁Ｋ（図９及び図１１参照）面の部位に設けても良いし、また、室内下方開口部８”ａは、金庫２の扉２２の下に位置する台１０の部位に、収納部下方開口部８”ｂは金庫２の底部に、それぞれ形成したが、本願発明はこれに限らず、室内下方開口部８”ａを金庫２の扉２２の下方であって該扉２２の横に位置する壁Ｋ（図９参照）面の部位に、それぞれ設けるようにしても良い。
【００２４】
なお、扉２２は、図５と異なり、図１２に示すように、室３に臨む第１の扉体２２Ａと、この第１の扉体２２Ａの裏面に取り付けられ、収納部２１に臨む第２の扉体２２Ｂとを有している。第１の扉体２２Ａは、構造部材（例えば、紙またはプラスチックをハニカム構造で形成したもの）２２Ａ１を内在すると共に、該構造部材２２Ａ１を厚み１．６ｍｍ未満（例えば、０．６ｍｍ〜０．８ｍｍ）の鋼板で覆う第１の覆い部材２２Ａ２を有している。
また、第２の扉体２２Ｂは、平板状部材２２Ｂ３の両端を立ち上がらせると共に、立ち上がらせた前記両端を互いに近づくように折り返された第１、第２の折り返し部材２２Ｂ４、２２Ｂ５と、第１の折り返し部材２２Ｂ４と第２の折り返し部材２２Ｂ５とを結ぶ線と平板状部材２２Ｂ３とで囲まれる空間に充填された断熱材（例えば、気泡コンクリート部材またはグラウト部材）２２Ｂ６とを有している。
また、断熱材（例えば、気泡コンクリート部材またはグラウト部材）２２Ｂ６の第１の扉体２２Ａに面する側には、凹溝Ｃが第２の扉体２２Ｂの上下の端部に向かって設けられている。なお、凹溝Ｃは、断熱効果の点から設けられることが望ましいが、場合により省略することもできる。
そして、第１の扉体２２Ａと第２の扉体２２Ｂとは、第２の扉体２２Ｂを貫通すると共に、第１の折り返し部材２２Ｂ４の鋼板及び第１の覆い部材２２Ａ２の鋼板にそれぞれ形成された雌ネジに螺合する第１の雄ネジＡ１により、第１の扉体２２Ａと第２の扉体２２Ｂとは、第２の扉体２２Ｂを貫通すると共に、第２の折り返し部材２２Ｂ５の鋼板及び第１の覆い部材２２Ａ２の鋼板にそれぞれ形成された雌ネジに螺合する第２の雄ネジＡ２により、それぞれ接合されている。
このように、薄い鋼板であっても、第１の折り返し部材２２Ｂ４の鋼板と第１の覆い部材２２Ａ２の鋼板及び第２の折り返し部材２２Ｂ５の鋼板と第１の覆い部材２２Ａ２の鋼板を重ねることにより、ビス止めで強度をある程度保つようにすることができる。
【図面の簡単な説明】
【００２５】
【図１】図１は、本発明の一実施例の金庫管理装置の概略的平面図である。
【図２】図２は、図１の矢印Ｘ方向から見た概略的正面図である。
【図３】図３は、図２の３−３線による概略的断面図である。
【図４】図４は、図２の４−４線による概略的断面図である。
【図５】図５は、図４の一部を拡大して示す概略的一部拡大断面図である。
【図６】図６は、図２の６−６線による概略的断面図である。
【図７】図７は、図６の一部を拡大して示す概略的一部拡大断面図である。
【図８】図８は、図４及び図５の下方室内連通路に蓋を取り付ける状態の概略的断面図である。
【図９】図９は、図２と異なる他の実施例の概略的断面図である。
【図１０】図１０は、図９の１０−１０線による概略的断面図である。
【図１１】図１１は、図９の１１−１１線による概略的断面図である。
【図１２】図１２は、図１１の一部を拡大して示す概略的一部拡大断面図である。
【符号の説明】
【００２６】
１        金庫管理装置
２        金庫
２１      収納部
２２      扉
２３      収納部
３        室
７        上方室内連通路
７ａ      室内上方開口部
７ｂ      収納部上方開口部
８        下方室内連通路
８ａ      室内下方開口部
８ｂ      収納部下方開口部
【図１】
2008274606.tif 000003
【図２】
2008274606.tif 000004
【図３】
2008274606.tif 000005
【図４】
2008274606.tif 000006
【図５】
2008274606.tif 000007
【図６】
2008274606.tif 000008
【図７】
2008274606.tif 000009
【図８】
2008274606.tif 000010
【図９】
2008274606.tif 000011
【図１０】
2008274606.tif 000012
【図１１】
2008274606.tif 000013
【図１２】
2008274606.tif 000014